(57)【要約】【課題】  曲面形状を有するコンクリート構造物の型枠工事において、容易に設置ができ、かつ構築されるコンクリートの品質を向上させることができるセパレーターを提供する。【解決手段】  板状部材１を組み合わされて構成され、この板状部材１によって隔成される曲面形状の内部空間を有するコンクリート構造物用型枠のセパレーターであって、  前記板状部材１に固定され板状部材１同士を連結し、前記内部空間を固定する細長状の連結部材３を備えており、連結部材３は、柔軟性を有しており、前記板状部材１に対しての取付角度が変更自在であることを特徴とする。【選択図】  図１
2005350939.tif 000002
【特許請求の範囲】
【請求項１】
板状部材を組み合わされて構成され、この板状部材によって隔成される曲面形状の内部空間を有するコンクリート構造物用型枠のセパレーターであって、
前記板状部材に固定され板状部材同士を連結し、前記内部空間を固定する細長状の連結部材を備えており、
前記連結部材は、柔軟性を有しており、前記板状部材に対しての取付角度が変更自在であることを特徴とするコンクリート構造物用型枠のセパレーター。
【請求項２】
前記連結部材は、炭素繊維、アラミド繊維等の新素材又はワイヤであることを特徴とする請求項１に記載のコンクリート構造物用型枠のセパレーター。
【請求項３】
請求項１又は請求項２に記載のセパレーターを有するコンクリート構造物用型枠であって、
前記板状部材を組み合わされて構成され、この板状部材に隔成された内部空間にコンクリートが充填される型枠本体と、
前記板状部材に固定され板状部材同士を連結し、前記内部空間を固定する細長状の連結部材と、
前記板状部材に貫通され、前記連結部材を固定する固定部材と、を備え、
前記連結部材は、前記固定部材に対しての取付角度が変更自在であることを特徴とするコンクリート構造物用型枠。
【発明の詳細な説明】
【技術分野】
【０００１】
本発明は、法線方向が暫時変化していく曲面形状を有するコンクリート構造物の型枠に用いるセパレーターに関する技術である。
【背景技術】
【０００２】
一般的に、コンクリート構造物の施工においては、コンクリートを流し込む鋳型になる型枠を設置し、この型枠内にコンクリートを打設して施工する。コンクリート構造物の外形（仕上がり）は、前記型枠の形状によって定まるため、型枠の形状は一定に保つことが必要とされる。しかし、コンクリートを打設すると型枠にコンクリート、鉄筋、作業員等の鉛直方向荷重、作業時の衝撃・振動、型枠の傾斜等の水平方向荷重、コンクリートの側圧等が付加し、型枠が変形してしまう恐れがある。そのため、型枠は、前記荷重等に対し必要な強度と剛性を備えることが要求され、必要に応じて、型枠の形状を固定するためのセパレーターが用いられている。従来、このセパレーターとして、高い強度を有する鋼棒が多用されており、この鋼棒を固定すべき型枠に鋼棒を取り付ける金具を設け、この金具に鋼棒を固定して、コンクリートに接する面である型枠のせき板を固定していた。
【０００３】
また、近年、景観的な観点から曲面形状を有する構造物が増加している。前記セパレーターは、コンクリートを打設すべき型枠内の空間を一定間隔で保つためのものであり、直線形状の型枠においては法線方向が一定値であるため、角度補正金具（テーパーコン）を介してセパレーターを直線状に設置すれば良いが、曲面形状を有する型枠においては、設置箇所によってセパレーターの取り付け角度を異ならせなければならない。従来の鋼棒を用いたセパレーターでは、鋼棒１０１を用いると曲線状配置となってしまうため、複数の鋼棒１０１をある程度の角度をもたせて連結することにより曲線状に加工して、曲面形状の型枠１０２に対処していた（図４参照）。
【０００４】
しかし、前記鋼棒１０１を曲面形状の型枠１０２に合わせるための連結は、現場で溶接することが多く、作業効率の低下を招いていた。さらに、大規模なコンクリート構造物等の施工においては、コンクリートの側圧が型枠１０２に作用して、型枠１０２の変形を伴う場合がある。このように型枠１０２が変形した際、コンクリート硬化前であれば、型枠１０２の変形に伴いコンクリート表面も沈むが、コンクリートの硬化が始まっている場合には、鋼棒の溶接箇所１０３が変形又は破断することに起因して型枠１０２が移動してコンクリートのひび割れ１０４が生じてしまうことがあった（図５参照）。
【発明の開示】
【発明が解決しようとする課題】
【０００５】
本発明はこのような問題に鑑みてなされたものであり、曲面形状を有するコンクリート構造物の型枠工事において、容易に設置ができ、かつ構築されるコンクリートの品質を向上させることができるセパレーターを提供することを技術的課題とする。
【課題を解決するための手段】
【０００６】
本発明に係るコンクリート構造物用セパレーターは、前述の技術的課題を解決するために以下のように構成されている。すなわち、本発明は、板状部材を組み合わされて構成され、この板状部材によって隔成される曲面形状の内部空間を有するコンクリート構造物用型枠のセパレーターであって、前記板状部材に固定され板状部材同士を連結し、前記内部空間を固定する細長状の連結部材を備えており、前記連結部材は、柔軟性を有しており、前記板状部材に対しての取付角度が変更自在であることを特徴とする。
【０００７】
本発明に係るセパレーターは、柔軟性を有する連結部材を用いるため、内部空間を隔成する板状部材に対する取付角度を容易に異ならせることができる。また、連結部材の形状を自在に変更できるため、容易に直線に近い形で使用することが可能であり、従来のように溶接等による連結が不要となる。従って、曲面形状の内部空間を有する型枠においても、その内部空間を容易に固定させることが可能となる。さらに、内部空間を連結する連結部材の溶接等の連結が不要となるため、型枠の変形によるコンクリートのひび割れ等を防止しすることができ、構築されるコンクリートの品質を向上させることが可能となる。
【０００８】
前記連結部材は、板状部材同士を連結し、型枠の内部空間を固定するため、柔軟性を備える一方、所望の強度を備え、伸びが小さいことが必要である。また、連結部材は、コンクリートを打設すべき内部空間に配置されるため、その体積は小さいほうが望ましく、小径の部材が好適である。このような連結部材としては、例えば、ワイヤが最適であるが、使用環境によっては、炭素繊維、アラミド繊維等を好適に用いることができる。
【０００９】
前記炭素繊維とは、窒素気流中で有機繊維を７００〜１８００℃で加熱し炭化させた繊維である。炭素繊維は、高比強度、高比弾性率、導電性、耐熱性、低膨張率、化学安定性、自己潤滑性及び高熱伝導性等の優れた特性を有する。炭素繊維の種類としては、フィラメント、トウ、クロス、ブレード等を例示でき、前記優れた特性により耐久性が期待できる。
【００１０】
前記アラミド繊維とは、４００度の高温に１分間耐えられる耐熱性を有しており、高強力で耐熱性にも優れたパラ系と、難燃性、耐熱性の高いメタ系に分類される繊維である。アラミド繊維は、前記炭素繊維よりは伸びる性質があり、破壊じん性とか電気絶縁性が優れている。一方、炭素繊維は、引張強度が大きく、酸、アルカリに強い性質を備えている。
【００１１】
前記ワイヤとは、細長状の鋼材であり、本発明においては、一定の柔軟性が要されるため小径のものが適している。尚、本発明の連結部材は、一定の強度と柔軟性を備え、型枠の内部空間を固定できる部材であれば良く、前記部材に限られず種々の部材を用いることが可能である。
【００１２】
また、本発明は、前記セパレーターを有するコンクリート構造物用型枠であって、前記板状部材を組み合わされて構成され、この板状部材に隔成された内部空間にコンクリートが充填される型枠本体と、前記板状部材に固定され板状部材同士を連結し、前記内部空間を固定する細長状の連結部材と、前記板状部材に貫通され、前記連結部材を固定する固定部材と、を備え、前記連結部材は、前記固定部材に対しての取付角度が変更自在であることを特徴とする。
【００１３】
前記構成のコンクリート構造物用型枠によれば、前記連結部材の固定部材及び板状部材に対しての取付角度が変更自在であるため、連結部材の配置を容易に調整することができ、容易に適切な位置に連結部材を配置することが可能となる。また、連結部材を適切な位置に配置することにより、型枠を確実に固定することができ、構築されるコンクリートの更なる品質の向上を図ることができる。
【００１４】
前記固定部材とは、型枠本体を構成する板状部材に貫通され、連結部材を着脱自在に固定する部材であり、例えば、テーパーコン、プラスチックコンが例示できる。この固定部材の連結部材の固定方法は、種々の方法を採用することができるが、例えば、固定部材を中空部を備えた筒状の構成として、その内部に連結部材を挿入し、接着剤によって固定する方法、連結部材を圧着して固定する方法が例示できる。さらに、連結部材の固定部材と
連結される外周面に螺子部を形成することにより、連結部材と固定部材との連結を強固にすることができる。
【発明の効果】
【００１５】
以上説明したように本発明によれば、型枠の内部空間を固定するセパレーターを容易に適宜な位置に設置することが可能となり、施工効率の向上及びコストの減縮を図ることができる。また、型枠の内部空間を固定する連結部材に溶接等の連結を要さず、適宜な位置に配置することができるため、コンクリートのひび割れ等を防止し、構築されるコンクリート構造物の品質を向上させることが可能となる。
【発明を実施するための最良の形態】
【００１６】
以下、本発明に係るコンクリート構造物用型枠のセパレーターの実施の形態を図面を用いて詳細に説明する。本実施の形態は、曲面部を有する型枠におけるセパレーターの実施形態である。図１は、本実施の形態に係るセパレーターの構造を示した図である。本実施の形態は、曲面形状の型枠本体を構成する板状部材としてのセキ板１と、このセキ板１に貫通された固定部材としてのプラスチックテーパーコン２と、このプラスチックテーパーコン２に貫通して固定され、セキ板１同士を連結する連結部材としてのワイヤ３と、このワイヤ３と前記プラスチックテーパーコン２とを接合する鋼製の螺子部材１０と、前記セキ板１の型枠外面に当接してセキ板１を補強する単管パイプ４と、フォームタイ７とセキ板１のリブ材となる１１との取付角度を調整するキャンバー材５と、キャンバー材に後退して配置された型枠固定用の単管パイプ４と、この単管パイプ４と嵌合する座金６と、前記ワイヤ３を締め付けて固定させるフォームタイ７と、を備えている（図１参照）。
【００１７】
前記ワイヤ３は、一端が型枠のセキ板１に固定され、図示しない他端も一端と同様にセキ板１に固定されており、コンクリートが打設される型枠の内部空間を固定している。ワイヤ３は、前記螺子部材１０を介してプラスチックテーパーコン２と接合されており、プラスチックテーパーコン２，２ａとフォームタイ７によって強固にセキ板１に固定されている。そのため、コンクリートが打設された際に、大きな荷重等がセキ板に作用しても型枠の変形を防ぐことができ、構築されるコンクリートの品質を一定に保持することができる。
【００１８】
前記ワイヤ３は、柔軟性を備えており、連結されるプラスチックテーパーコン２との相対角度が変更自在である。従って、曲面形状の内部空間を連結する際には、プラスチックテーパーコン２に取り付けられる角度を異ならせることにより、セキ板１に対するプラスチックテーパーコン２の取付角度を変更させることなく、ワイヤ３を直線状に配置し、曲面形状の内部空間を固定することができる。
【００１９】
すなわち、従来のセパレーターのように、曲線状に配置することを避けるがために溶接等によって鋼棒を複数繋ぎ合わせる必要がなく、１本のワイヤで対応することが出来るため、コンクリートの側圧による連結箇所の破損、これに伴うコンクリートのひび割れを防ぐことが可能となり、構築されるコンクリート構造物の品質を向上させることができる。さらに、直線形状の型枠、曲面形状の型枠のいずれの形状の型枠であっても、同様にセパレーターを設置することができるため、施工作業の効率を向上させることができ、コストの減縮を図ることも可能となる。
【００２０】
次いで、前記ワイヤ３と螺子部材１０との接合部について詳細に説明する。図２、図３は、ワイヤ３と螺子部材１０との接合部を示した図である。前記螺子部材１０は、筒状であり、その中空部１０ａにワイヤ３が固定される。また、螺子部材１０の外周先端部には、雄螺子１０ｂが形成されており、プラスチックテーパーコン２の中空部に形成された雌螺子２ｂと螺合する。図２の接合部は、螺子部材１０の中空部１０ａに接着剤８を充填し
、この接着剤８によってワイヤ３を固定している。また、図３の接合部は、螺子部材１０の端部を圧着するダイス９を用い、螺子部材１０の中空部２ａにワイヤ３を貫入させた後、ワイヤ３を貫入させた螺子部材１０をダイス９に押し込むことにより固定している。
【００２１】
また、前記プラスチックテーパーコン２とフォームタイ７は、いずれも筒状であり、それぞれの中空部には、雌螺子が形成されている。プラスチックテーパーコン２とフォームタイ７は、互いの雌螺子と螺合する軸足によって接合されている。この軸足は、前記セキ板１とプラスチックテーパーコン２ａを貫通しており、軸足によってこれらの部材が接合されている。
【００２２】
プラスチックテーパーコン２，２ａ及びセキ板１と固定されたフォームタイ７の両側から、フォームタイ７を挟みつつ２本の単管パイプ４を配置し、フォームタイ７を貫通させたリブ座金６を前記単管パイプ４と嵌合させることで、フォームタイ７、プラスチックテーパーコン２、及びこれに接合されたワイヤ３は、型枠に固定され、ワイヤ３の緊張により、型枠の内部空間が固定される。
【００２３】
次いで、前記セパレーターを用いた型枠工事を詳細に説明する。まず、割付図に基づいて、型枠本体となるセキ板１にプラスチックテーパーコン２とフォームタイ７を繋ぐ軸足（図示せず）を挿入する穴部を形成し、セキ板１を所定の位置に設置する。プラスチックテーパーコン２，２ａをセキ板１の両側に配置し、フォームタイ７と一体化させた後、ワイヤ３と接合した螺子部材１０をプラスチックテーパーコン２に貫入し、螺合する。次いで、セキ板１の型枠外面にキャンバー材５を配置し、単管パイプ４をリブ座金で固定する。
【００２４】
尚、本実施の形態では、セキ板１とプラスチックテーパーコン２が直交してなく、そのままの状態でフォームタイと接合すると軸足が曲がってしまうおそれがある。そのため、プラスチックテーパーコン２ａを用いて角度の調整を行っている。従って、セキ板１とプラスチックテーパーコン２が直交している場合には、プラスチックテーパーコン２ａは、不要であるとともに、プラスチックテーパーコン２はテーパーのないものを使うことになる。
【００２５】
このように設けられるセパレーターは、ワイヤ３が柔軟性を備え、型枠に対しての取付角度を容易に異ならせることができるため、型枠の形状に影響されることなく、容易に取り付けることができる。また、従来のセパレーターと比較して、ワイヤ３を一部材で構成できるため、セパレーターの設置不良等が生じにくくなり、構築されるコンクリートの品質を向上させることが可能となる。
【図面の簡単な説明】
【００２６】
【図１】本発明に係るセパレーターの構造を示す断面図である。
【図２】ワイヤとプラスチックテーパーコンの接合部を示す断面図である。
【図３】ワイヤとプラスチックテーパーコンの接合部を示す断面図である。
【図４】従来のセパレーターの構造を示す説明概略図である。
【図５】従来のセパレーター構造におけるコンクリートのひび割れを示す説明図である。
【符号の説明】
【００２７】
１  セキ板
２，２ａ  プラスチックテーパーコン
３  ワイヤ
４  単管パイプ
５  キャンバー材
６  リブ座金
７  フォームタイ
８  接着剤
９  ダイス
１０  螺子部材
１１  リブ材
１０１  鋼棒
１０２  型枠
１０３  溶接箇所
１０４  ひび割れ
【図１】
2005350939.tif 000003
【図２】
2005350939.tif 000004
【図３】
2005350939.tif 000005
【図４】
2005350939.tif 000006
【図５】
2005350939.tif 000007